(57)【要約】      （修正有）【課題】鋼製デッキプレートから梁へ熱を伝へ難くした床構造を提供する。【解決手段】木製の梁１２と、梁の上面に載置されたセメント硬化体１４と、セメント硬化体に設けられ、鋼製デッキプレート３４の端部を支持する支持部１６と、鋼製デッキプレートの上にコンクリートを打設して形成された床スラブ１８と、を有する床構造。【選択図】図２
2014095259.tif 000002
【特許請求の範囲】
【請求項１】
木製の梁と、
前記梁の上面に載置されたセメント硬化体と、
前記セメント硬化体に設けられ、鋼製デッキプレートの端部を支持する支持部と、
前記鋼製デッキプレートの上にコンクリートを打設して形成された床スラブと、
を有する床構造。
【請求項２】
前記セメント硬化体は、前記梁の上面に形成された凹部に下端部が嵌合されている請求項１に記載の床構造。
【請求項３】
前記梁は、荷重を支持する木製の梁心材と、前記梁心材の外周を取り囲む燃え止まり層と、前記燃え止まり層の外周を取り囲む木製の燃え代層とを有して構成されている請求項１又は２に記載の床構造。
【発明の詳細な説明】
【技術分野】
【０００１】
本発明は、鋼製デッキプレートを用いた床スラブに関する。
【背景技術】
【０００２】
梁上に現場打ちによって鉄筋コンクリート製の床スラブを設ける際に、鋼製デッキプレートを梁に架設し、捨て型枠として用いることがある。例えば、特許文献１には、複数のウエブを有する鋼製デッキプレート上にコンクリートを打設して形成される合成床版が開示されている。
【０００３】
しかし、梁を木製とした場合、火災時において鋼製デッキプレートが熱橋となり、鋼製デッキプレートから梁に熱が伝達され、梁が燃焼温度に達して燃焼してしまうことが懸念される。
【先行技術文献】
【特許文献】
【０００４】
【特許文献１】特開２００３−２３９４３９号公報
【発明の概要】
【発明が解決しようとする課題】
【０００５】
本発明は係る事実を考慮し、鋼製デッキプレートから梁へ熱を伝へ難くした床構造を提供することを課題とする。
【課題を解決するための手段】
【０００６】
請求項１に記載の発明は、木製の梁と、前記梁の上面に載置されたセメント硬化体と、前記セメント硬化体に設けられ、鋼製デッキプレートの端部を支持する支持部と、前記鋼製デッキプレートの上にコンクリートを打設して形成された床スラブと、を有する床構造である。
【０００７】
請求項１に記載の発明では、支持部を介して鋼製デッキプレートから伝達される熱をセメント硬化体が吸収することにより、鋼製デッキプレートから木製の梁へ伝達される熱を低減することができる。よって、梁の温度上昇を抑制し、梁が燃焼温度に達して燃焼することを防ぐことができる。すなわち、鋼製デッキプレートから梁へ熱を伝へ難くすることができる。これにより、火災（加熱）時の所定時間の間や、火災（加熱）が終了した後においてまで、梁を構造部材として機能させることができる。例えば、１時間耐火の建築物の場合には、１時間の火災（加熱）が終了した後においても、梁を構造部材として機能させることができる。
【０００８】
請求項２に記載の発明は、請求項１に記載の床構造において、前記セメント硬化体は、前記梁の上面に形成された凹部に下端部が嵌合されている。
【０００９】
請求項２に記載の発明では、梁とセメント硬化体との一体性を高めて、梁とセメント硬化体との間での応力伝達をスムーズに行うことができる。
【００１０】
請求項３に記載の発明は、請求項１又は２に記載の床構造において、前記梁は、荷重を支持する木製の梁心材と、前記梁心材の外周を取り囲む燃え止まり層と、前記燃え止まり層の外周を取り囲む木製の燃え代層とを有して構成されている。
【００１１】
請求項３に記載の発明では、火災が発生したときに火炎が燃え代層に着火し、燃え代層が燃焼する。そして、燃焼した燃え代層は炭化する。これにより、燃焼した燃え代層の外部から梁心材への熱伝達と酸素供給とを炭化した燃え代層が遮断し、燃え止まり層が吸熱するので、火災（加熱）時及び火災（加熱）終了後における梁心材の温度上昇を抑制することができる。
【発明の効果】
【００１２】
本発明は上記構成としたので、鋼製デッキプレートから梁へ熱を伝へ難くすることができる。
【図面の簡単な説明】
【００１３】
【図１】本発明の実施形態に係る床構造を示す斜視図である。
【図２】本発明の実施形態に係る床構造を示す横断面図である。
【図３】本発明の実施形態に係るプレキャストコンクリート版の載置方法を示す横断面図である。
【図４】本発明の実施形態に係る床構造の比較例を示す横断面図である。
【図５】本発明の実施形態に係る床構造の変形例を示す横断面図である。
【図６】本発明の実施形態に係る梁上面に形成された凹部を示す斜視図である。
【図７】本発明の実施形態に係る梁上面に形成された凹部を示す斜視図である。
【図８】本発明の実施形態に係る床構造の変形例を示す横断面図である。
【図９】本発明の実施形態に係る床構造の変形例を示す斜視図である。
【図１０】本発明の実施形態に係る床構造の変形例を示す横断面図である。
【発明を実施するための形態】
【００１４】
図を参照しながら、本発明の実施形態を説明する。まず、本発明の実施形態に係る床構造について説明する。
【００１５】
図１の斜視図、及び図２の横断面図に示すように、本実施形態の床構造１０は、木製の梁１２と、セメント硬化体としての板状のプレキャストコンクリート版（以下、「ＰＣａ版１４」とする）と、支持部を構成する受け部材１６と、鉄筋コンクリート製の床スラブ１８とを有して構成されている。
【００１６】
図２に示すように、梁１２は、荷重を支持する木製の梁心材２０と、梁心材２０の外周を取り囲む燃え止まり層２２と、燃え止まり層２２の外周を取り囲む木製の燃え代層２４とを有して構成されている。
【００１７】
梁心材２０及び燃え代層２４は、木材によって形成されていればよい。例えば、梁心材２０及び燃え代層２４は、米松、唐松、檜、杉、あすなろ等の一般の木造建築に用いられる木材（以下、「一般木材」とする）によって形成してもよいし、これらの一般木材を板状や角柱状等の製材に加工し、この製材を複数集成し製材同士を接着剤により接着して一体化した、所謂、集成材であってもよい。
【００１８】
また、燃え止まり層２２は、火炎及び熱の進入を抑えて燃え止まり効果を発揮できる層であればよい。例えば、燃え止まり層２２は、難燃性を有する層や熱の吸収が可能な層であればよい。
【００１９】
難燃性を有する層としては、木材に難燃薬剤を注入して不燃化処理した難燃薬剤注入層が挙げられる。熱の吸収が可能な層は、一般木材よりも着火温度が高く熱容量が大きな材料、一般木材よりも断熱性が高い材料、又は一般木材よりも熱慣性が高い材料によって形成してもよいし、これらの材料と一般木材とを組み合わせて形成してもよい（図２には、一般木材よりも着火温度が高く熱容量が大きな材料であるモルタルによって形成された板部材２６と、一般木材によって形成された板状の製材２８とを交互に配置して、燃え止まり層２２を形成している例が示されている）。また、難燃性を有する層と、熱の吸収が可能な層とを組み合わせて（例えば、難燃性を有する層と、熱の吸収が可能な層とを交互に配置して）燃え止まり層２２を形成してもよい。
【００２０】
一般木材よりも着火温度が高く熱容量が大きな材料としては、モルタル、石材、ガラス、繊維補強セメント、石膏等の無機質材料、各種の金属材料などが挙げられる。一般木材よりも断熱性が高い材料としては、けい酸カルシウム板、ロックウール、グラスウールなどが挙げられる。一般木材よりも熱慣性が高い材料としては、セランガンバツ、ジャラ、ボンゴシ等の木材が挙げられる。
【００２１】
ＰＣａ版１４は、鉄筋コンクリートによって形成されており、梁１２と一体に梁１２の上面に載置されて梁心材２０の上面全てを覆っている。また、ＰＣａ版１４は、梁１２の上面から外側へ左右に張り出しており、梁１２の上面全てを覆っている。
【００２２】
ＰＣａ版１４の厚さは、床スラブ１８の厚さの略半分になっており、ハーフプレキャスト版を構成している。また、図１、２に示すように、ＰＣａ版１４の上面には、シアコッターとして機能する凹部３０が複数形成されている。
【００２３】
受け部材１６は、ＰＣａ版１４の左右端部下面に固定され、ＰＣａ版１４の下面から左右外側へ張り出す鋼板によって形成されている。受け部１６は、図１に示すように、梁１２の梁長方向３２に対して複数配置されている。また、受け部材１６は、ＰＣａ版１４を工場等で製作する段階で、この受け部材１６の上面に固定された髭筋（不図示）をＰＣａ版１４に埋設することによってＰＣａ版１４に設けられている。
【００２４】
ＰＣａ版１４下面から左右外側へ張り出している受け部材１６の部分には鋼製デッキプレート３４の端部３６が載置されて支持されている。鋼製デッキプレート３４の端部３６と受け部材１６とは、溶接により接合されている。
【００２５】
床スラブ１８は、鋼製デッキプレート３４と、ＰＣａ版１４との上に場所打ちコンクリートを打設することにより形成されている。床スラブ１８には、鋼製デッキプレート３４及びＰＣａ版１４の上方に配置された上端筋３８、ＰＣａ版１４を略水平に貫通する貫通孔４０に挿入された差し筋４２、及び鋼製デッキスラブ３４の上方に配置された下端筋（不図示）が埋設されている。差し筋４２と下端筋とは、重ね継ぎ手により継ぎ合わされている。一般的な下端筋及び差し筋の径の大きさでは、重ね継ぎ手が可能であるので、スリーブ等の継ぎ手を用いなくても下端筋と差し筋とを継ぎ合わせることができる。
【００２６】
図２に示すように、ＰＣａ版１４の上面には、ＰＣａ版１４を貫通し、下端部が梁心材２０に固定されたせん断力伝達部材としての鋼製の頭付きスタッド４４が突出しており、この頭付きスタッド４４の頭部が床スラブ１８に埋設されている。
【００２７】
図３（ａ）の横断面図に示すように、頭付きスタッド４４は、乾燥養生が完了したＰＣａ版１４を梁１２の上面に載置した後に、梁心材２０の上面に鉛直に形成された挿入孔４６と、ＰＣａ版１４に鉛直に形成された貫通孔４８とに挿入し、接着剤、嵌合、ねじ込み等により挿入孔４６及び貫通孔４８に固定する。
【００２８】
なお、頭付きスタッド４４は、梁心材２０と床スラブ１８との間で、せん断力の伝達を可能にするものであればよい、例えば、ラグスクリューや、図３（ｂ）の横断面図に示すような鋼棒５０であってもよい。図３（ｂ）には、挿入孔４６に鋼棒５０を挿入し、接着剤、嵌合、ねじ込み等により鋼棒５０の下端部を梁心材２０に固定した後、この鋼棒５０を貫通孔４８に挿入しながら、乾燥養生が完了したＰＣａ版１４を梁１２の上面に載置して、鋼棒５０をＰＣａ版１４の上面から突出させる例が示されている。また、図３（ａ）、（ｂ）で説明したように、乾燥養生が完了したＰＣａ版１４を梁１２の上面に載置することにより、梁１２の上面の止水処理が不要になる。
【００２９】
次に、本発明の実施形態に係る床構造の作用と効果について説明する。
【００３０】
図４の横断面図に示すように、梁１２の上面に鋼製デッキプレート３４の端部３６を支持させた床構造５２の場合、火災時において鋼製デッキプレート３４が熱橋となり、鋼製デッキプレート３４から梁１２に熱が伝達され、梁が燃焼温度に達して燃焼してしまうことが懸念される。
【００３１】
これに対して、本実施形態の床構造１０では、図２に示すように、受け部材１６を介して鋼製デッキプレート３４から伝達される熱をＰＣａ版１４が吸収することにより、鋼製デッキプレート３４から木製の梁心材２０（梁１２）へ伝達される熱を低減することができる。
【００３２】
よって、梁心材２０（梁１２）の温度上昇を抑制し、梁心材２０（梁１２）が燃焼温度に達して燃焼することを防ぐことができる。すなわち、鋼製デッキプレート３４から梁心材２０（梁１２）へ熱を伝へ難くすることができる。これにより、火災（加熱）時の所定時間の間や、火災（加熱）が終了した後においてまで、梁１２を構造部材として機能させることができる。例えば、１時間耐火の建築物の場合には、１時間の火災（加熱）が終了した後においても、梁１２を構造部材として機能させることができる。
【００３３】
また、木造の梁に対して鋼製デッキプレートを使用することができるので、木造の梁上に設けられる床スラブの施工合理化や工期短縮を図ることができる。
【００３４】
さらに、図２に示すように、梁１２において、火災が発生したときに火炎が燃え代層２４に着火し、燃え代層２４が燃焼する。そして、燃焼した燃え代層２４は炭化する。これにより、梁１２の外部から梁心材２０への熱伝達と酸素供給とを炭化した燃え代層２４が遮断し、燃え止まり層２２が吸熱するので、火災（加熱）時及び火災（加熱）終了後における梁心材２０の温度上昇を抑制することができる。
【００３５】
このように、梁１２は耐火性能を発揮するので、本実施形態の床構造１０を耐火建築物に適用する場合には、火災時において梁心材２０が最後まで燃焼しないで荷重を支持するように梁１２を構成し、床構造１０を準耐火建築物に適用する場合には、火災時において、所定時間、梁心材２０が燃焼しないで荷重を支持するように梁１２を構成する。
【００３６】
また、図２に示すように、ＰＣａ版１４は、梁１２の上面から外側へ左右に張り出しており梁１２の上面全てを覆っているので、コンクリート打設により床スラブ１８を施工する際に、梁１２の上面に止水処理を施さなくても、コンクリート中の水分が梁１２の中に染み込んで梁１２が腐食してしまうことを防ぐことができる。また、コンクリート打設により床スラブ１８を施工する際に、コンクリート中のノロが梁１２の側面に流れ出て硬化し、美観を損ねてしまうのを防ぐことができる。
【００３７】
さらに、ＰＣａ版１４の上面に複数形成された凹部３０により、床スラブ１８のコンクリートと、ＰＣａ版１４との一体性が向上し、地震時においても床スラブ１８の面内せん断力をＰＣａ版１４（梁１２）に確実に伝達することができる。
【００３８】
以上、本発明の実施形態について説明した。
【００３９】
なお、本実施形態では、図２に示すように、梁１２が、荷重を支持する木製の梁心材２０と、梁心材２０の外周を取り囲む燃え止まり層２２と、燃え止まり層２２の外周を取り囲む木製の燃え代層２４とを有して構成されている例を示したが、梁１２は、荷重を支持する木製の梁心材と、この梁心材の外周を取り囲む燃え止まり層又は燃え代層とを有していればよい。例えば、梁１２は、荷重を支持する木製の梁心材と、梁心材の外周を取り囲む燃え止まり層と、燃え止まり層の外周を取り囲む燃え代層以外の層（例えば、薄い木製の仕上げ材）とによって構成してもよい。
【００４０】
また、梁１２は、梁心材２０に相当する部分（構造設計上、荷重を負担する部分）を有する木製部材であればよい。
【００４１】
さらに、本実施形態では、図２に示すように、梁１２の上面にＰＣａ版１４を載置した例を示したが、図５の横断面図に示す床構造５８のように、梁１２の上面に形成された凹部５４に下端部５６を嵌合するようにして、ＰＣａ版１４を梁１２の上面に載置してもよい。図５には、梁心材２０の上面に形成された凹部５４に、ＰＣａ版１４の下端部５６が嵌合している例が示されている。このようにすれば、梁１２とＰＣａ版１４との一体性が高まり、梁１２とＰＣａ版１４との間での応力伝達をスムーズに行うことができる。
【００４２】
凹部５４は、図６の斜視図に示すように、梁１２の梁長方向３２に対して連続して形成された溝によって構成してもよいし、図７の斜視図に示すように、梁１２の梁長方向３２に対して断続して形成された溝によって構成してもよい。また、梁１２の上面に形成された凹部５４に嵌合するのは、ＰＣａ版１４の下端部の一部でもよいし、全部でもよい。
【００４３】
また、ＰＣａ版１４は、梁心材２０の上面全てを覆うようにして設ければよい。すなわち、梁心材２０に床の鉛直荷重（鋼製デッキプレート３４と床スラブ１８とによって構成される床部材に作用する鉛直荷重）が伝達されればよい。例えば、梁１２が、梁心材２０に相当する部分（構造設計上、荷重を負担する部分）を有する木製部材である場合においては、梁心材２０に相当する部分の上面の全てをＰＣａ版１４で覆えばよい。また、梁１２の上面への止水効果を期待しなければ、梁心材２０の上面全てだけをＰＣａ版１４により覆えばよい。
【００４４】
さらに、本実施形態では、梁１２の上面から外側へ左右に張り出すようにしてＰＣａ版１４を設けた例を示したが、梁１２の上面から外側へ左右に張り出す長さ（以下、「張り出し長」とする）は、コンクリート打設により床スラブ１８を施工する際に、コンクリート中のノロが梁１２の側面へ流れ出ない程度であればよい。張り出し長は、３０ｍｍ以上が好ましく、５０ｍｍ以上がより好ましい。
【００４５】
また、本実施形態では、図２に示すように、ＰＣａ版１４がハーフプレキャスト版を構成している例を示したが、ＰＣａ版１４はハーフプレキャスト版を構成しなくてもよく、図８の横断面図に示す床構造６０のように、床スラブ１８の厚さと略等しい厚さのプレキャストコンクリート版６２（以下、「ＰＣａ版６２」とする）としてもよい。床構造６０では、ＰＣａ版６２の側面をコッター構造にして、ＰＣａ版６２と床スラブ１８との一体性を高めている。
【００４６】
さらに、本実施形態では、ＰＣａ版１４を鉄筋コンクリートによって形成した例を示したが、受け部材１６を介して鋼製デッキプレート３４から梁１２へ伝達される熱を低減する部材であればよい。例えば、ＰＣａ版１４を、モルタル製や軽量気泡コンクリート（ＡＬＣ）製のプレキャスト部材としてもよい。
【００４７】
また、本実施形態では、図１に示すように、梁１２の梁長方向３２に対する長さが長いＰＣａ版１４を配置した例を示したが、図９の斜視図に示す床構造６４のように、梁１２の梁長方向３２に対する長さが短いＰＣａ版１４を、梁長方向３２へ複数配置するようにしてもよい。この場合、隣り合うＰＣａ版１４の端部同士を接触させてもよいし、隣り合うＰＣａ版１４の端部同士の間に隙間を設けてもよい。隣り合うＰＣａ版１４の端部同士の間に隙間を設ける場合には、コンクリート打設前の状態でこの隙間から露出している梁１２の上面に、必要に応じて撥水処理等の止水処理を施す。
【００４８】
さらに、本実施形態では、図２に示すように、支持部を構成する受け部材１６を鋼板によって形成した例を示したが、支持部は、鋼製デッキプレート３４の端部３６を支持できるものであればよい。例えば、図１０（ａ）、（ｂ）の横断面図に示す床構造６６、６８のように、Ｌ字状に曲げられた鋼板によって形成された受け部材７０、７２であってもよい。床構造６６では、ＰＣａ版１４の側面に受け部材７０が固定され、床構造６８では、ＰＣａ版１４の上面に受け部材７２が固定されている。また、例えば、図１０（ｃ）の横断面図に示す床構造７４のように、ＰＣａ版１４の下端部を左右外側へ突出させた突出部７６を支持部としてもよい。
【００４９】
また、本実施形態では、図２に示すように、受け部材１６の上面に固定された髭筋（不図示）により、受け部材１６をＰＣａ版１４に設けた例を示したが、鋼製デッキプレート３４から伝達される鉛直荷重をＰＣａ版１４に伝達することができれば、受け部材１６は、どのような方法でＰＣａ版１４に設けてもよい。例えば、ボルトやスタッドを用いてＰＣａ版１４に受け部材１６を固定してもよい。
【００５０】
さらに、本実施形態では、図２に示すように、溶接により、鋼製デッキプレート３４の端部３６を受け部材１６に接合した例を示したが、ボルト接合等の他の方法で受け部材１６に鋼製デッキプレート３４の端部３６を接合してもよいし、接合は行わずに、ＰＣａ版１４下面から左右外側へ張り出している受け部材１６の部分に鋼製デッキプレート３４の端部３６を載置するだけでもよい。
【００５１】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００５２】
１０、５８、６０、６４、６６、６８、７４  床構造
１２  梁
１４、６２  ＰＣａ版（セメント硬化体）
１６、７０、７２  受け部材（支持部）
１８  床スラブ
２０  梁心材
２２  燃え止まり層
２４  燃え代層
３４  鋼製デッキプレート
３６  端部
５４  凹部
５６  下端部
７６  突出部（支持部）
【図１】
2014095259.tif 000003
【図２】
2014095259.tif 000004
【図３】
2014095259.tif 000005
【図４】
2014095259.tif 000006
【図５】
2014095259.tif 000007
【図６】
2014095259.tif 000008
【図７】
2014095259.tif 000009
【図８】
2014095259.tif 000010
【図９】
2014095259.tif 000011
【図１０】
2014095259.tif 000012